(57)【特許請求の範囲】
【請求項１】
ガス器具の流量登録を開始する起動タイミングを検知すると検査開始信号を出力する検査開始入力部と、前記検査開始入力部の検査開始信号を受信すると登録中の信号の有無を確認し、登録中でなければ器具個別弁を制御する切換指示信号と流量の登録を許可する登録許可信号とを出力する切換操作部と、前記切換操作部の切換指示信号を受信すると前記器具個別弁を順番に開閉させる切換信号を出力する弁切換部と、ガス通路内を通過するガス流量に対応して流量信号を出力する流量入力部と、前記流量入力部の流量信号を受信すると流量値を算出し流量値信号を出力する流量算出部と、前記切換操作部の前記登録許可信号を受信すると登録中信号を出力し、前記流量算出部の流量値信号を受信し、流量値が所定の範囲内に入る場合には登録中信号の出力を停止して流量値を保持流量値信号として複数保持する流量保持部と、前記流量算出部の流量値信号と前記流量保持部の保持流量値信号とを比較し、所定の範囲外であれば弁駆動許可信号と警報報知信号を出力する流量判定部と、前記流量判定部の弁駆動許可信号を受信すると弁駆動信号を出力する弁駆動部と、前記弁駆動部の弁駆動信号を受信するとガス通路を閉栓する弁と、前記流量判定部の警報報知信号を受信すると警報報知する警報報知部とを備えたガス遮断装置。
【請求項２】
ガス器具の流量登録を開始する起動タイミングを検知すると検査開始信号を出力する検査開始入力部と、前記検査開始入力部の検査開始信号を受信すると弁残信号の有無を確認し、未検査のガス器具が残っていれば登録中の信号の有無を確認し、登録中でなければ器具個別弁を制御する切換指示信号と流量の登録を許可する登録許可信号とを出力する自動切換操作部と、検査対象ガス器具の個数を器具個別弁により検知し、検査を必要とするガス器具があれば前記弁残信号を出力し、前記自動切換操作部の切換指示信号を受信すると前記器具個別弁を順番に開閉させる切換信号を出力する弁切換検知部と、ガス通路内を通過するガス流量に対応して流量信号を出力する流量入力部と、前記流量入力部の流量信号を受信すると流量値を算出し流量値信号を出力する流量算出部と、前記自動切換操作部の登録許可信号を受信すると登録中信号を出力し前記流量算出部の流量値信号を受信し、流量値が所定の範囲内に入る場合には登録中信号の出力を停止して流量値を保持流量値信号として複数保持する流量保持部と、前記流量算出部の流量値信号と前記流量保持部の保持流量値信号を比較し所定の範囲外であれば弁駆動許可信号と警報報知信号を出力する流量判定部と、前記流量判定部の弁駆動許可信号を受信すると弁駆動信号を出力する弁駆動部と、前記弁駆動部の弁駆動信号を受信するとガス通路を閉栓する弁と、前記流量判定部の前記警報報知信号を受信すると警報報知する警報報知部とを備えたガス遮断装置。
【請求項３】
ガス器具の流量登録を開始する起動タイミングを検知すると検査開始信号を出力する検査開始入力部と、前記検査開始入力部の検査開始信号を受信すると登録中信号の有無を確認し、登録中でなければ漏れ有入力部の閉栓指示信号の有無を確認し、閉栓が指示されている器具個別弁を閉栓固定として器具個別弁を制御する切換指示信号と流量の登録を許可する登録許可信号とを出力する切換操作部と、前記切換操作部の切換指示信号を受信すると前記器具個別弁を順番に開閉させる切換信号を出力する弁切換部と、ガス通路内を通過するガス流量に対応して流量信号を出力する流量入力部と、前記流量入力部の流量信号を受信すると流量値を算出し流量値信号を出力する流量算出部と、前記切換操作部の登録許可信号を受信すると登録中の信号を出力し前記流量算出部の流量値信号を受信し、流量値が所定の範囲内に入る場合には前記登録中信号の出力を停止して前記流量値を保持流量値信号として複数保持する流量保持部と、前記流量保持部の登録中信号の有無を判定し、登録中の信号があれば前記流量算出部の流量値信号と前記流量保持部の保持流量値信号を比較し、所定の範囲外であれば警報報知信号を出力し前記漏れ有入力部の前記閉栓指示信号の有無を判定し、閉栓指示信号があれば警報報知信号の出力を停止し登録中の信号がなければ前記流量算出部の流量値信号と前記流量保持部の保持流量値信号とを比較し、所定の範囲外であれば弁駆動許可信号と警報報知信号を出力する漏れ流量判定部と、前記漏れ流量判定部の弁駆動許可信号を受信すると弁駆動信号を出力する弁駆動部と、前記弁駆動部の弁駆動信号を受信するとガス通路を閉栓する弁と、前記流量判定部の警報報知信号を受信すると警報報知する警報報知部と、漏れを確認したとき閉栓指示信号を出力する前記漏れ有入力部とを備えたガス遮断装置。
【請求項４】
ガス器具の流量登録を開始する起動タイミングを検知すると検査開始信号を出力する検査開始入力部と、前記検査開始入力部の検査開始信号を受信すると登録中の信号の有無を確認し、登録中でなければ許容差判定部の閉栓指示信号の有無を確認し、閉栓が指示されている器具個別弁を閉栓固定として器具個別弁を制御する切換指示信号と流量の登録を許可する登録許可信号とを出力する切換操作部と、前記切換操作部の切換指示信号を受信すると前記器具個別弁を順番に開閉させる切換信号を出力する弁切換部と、ガス通路内を通過するガス流量に対応して流量信号を出力する流量入力部と、前記流量入力部の前記流量信号を受信すると流量値を算出し流量値信号を出力する流量算出部と、前記切換操作部の登録許可信号を受信すると登録中の信号を出力し流量算出部の前記流量値信号を受信し、流量値が所定の範囲内に入る場合には登録中の信号の出力を停止して前記流量値を保持流量値信号として複数保持する流量保持部と、前記流量算出部の流量値信号と流量保持部の前記保持流量値信号とを比較し所定の範囲外であれば弁駆動許可信号と警報報知信号を出力する流量判定部と、前記流量判定部の弁駆動許可信号を受信すると弁駆動信号を出力する弁駆動部と、前記弁駆動部の前記弁駆動信号を受信するとガス通路を閉栓する弁と、前記流量判定部の警報報知信号受信すると警報報知する警報報知部と、前記流量保持部の保持流量値信号を受信すると外部との器具情報の通信を行い前記器具情報から漏れ範囲信号を出力する外部通信部と、前記外部通信部の漏れ範囲信号を受信すると前記流量保持部の保持流量値信号を取得し保持流量値信号が漏れ範囲信号内に入らない場合に閉栓指示信号と警報報知信号を出力する許容差判定部とを備えたガス遮断装置。
【請求項５】
ガス器具の流量登録を開始する起動タイミングを検知すると検査開始信号を出力する検査開始入力部と、前記検査開始入力部の検査開始信号を受信すると弁残信号の有無を確認し、未検査のガス器具が残っていれば登録中信号の有無を確認し登録中でなければ器具個別弁を制御する切換指示信号と流量の登録を許可する登録許可信号とを出力する自動切換操作部と、検査対象ガス器具の個数を、器具個別弁を内蔵した無線器具により検知し検査を必要とするガス器具があれば前記弁残信号を出力し、前記自動切換操作部の切換指示信号を受信すると前記器具個別弁を順番に開閉させる切換通信信号を出力する弁切換通信部と、ガス通路内を通過するガス流量に対応して流量信号を出力する流量入力部と、前記流量入力部の流量信号を受信すると流量値を算出し流量値信号を出力する流量算出部と、前記自動切換操作部の登録許可信号を受信すると登録中信号を出力し前記流量算出部の流量値信号を受信し、前記流量値が所定の範囲内に入る場合には登録中の信号の出力を停止して流量値を保持流量値信号として複数保持する流量保持部と、前記流量算出部の流量値信号と前記流量保持部の保持流量値信号とを比較し、所定の範囲外であれば弁駆動許可信号と警報報知信号を出力する流量判定部と、前記流量判定部の弁駆動許可信号を受信すると弁駆動信号を出力する弁駆動部と、前記弁駆動部の弁駆動信号を受信するとガス通路を閉栓する弁と、前記流量判定部の前記警報報知信号を受信すると警報報知する警報報知部とを備えたガス遮断装置。
【発明の詳細な説明】
【０００１】
【発明の属する技術分野】
本発明はガス遮断装置より下流におけるガス使用の安全性を図るガス遮断装置に関し、特に微小流量を登録する機能に関するものである。
【０００２】
【従来の技術】
従来、この種のガス遮断装置は図１１に示されているように、流量登録入力部１８は登録許可信号Ｄを出力し、流量入力部４はガス通路内を通過するガス流量に対応して流量信号Ｅを出力し、流量算出部５は前記流量入力部４の前記流量信号Ｅを受信すると流量値を算出し流量値信号Ｆを出力し、流量保持部６は前記流量登録入力部１８の前記登録許可信号Ｄを受信すると前記流量算出部５の前記流量値信号Ｆを受信し前記流量値が所定の範囲内（例えば１０Ｌ／ｈ〜１００Ｌ／ｈ）に入る場合には前記流量値を保持流量値信号Ｇとして複数保持し、流量判定部７は前記流量算出部５の前記流量値信号Ｆと前記流量保持部６の前記保持流量値信号Ｇを比較し所定の範囲外（例えば±１０％以上）であれば弁駆動許可信号Ｉと警報報知信号Ｊを出力し、弁駆動部８は前記流量判定部７の前記弁駆動許可信号Ｉを受信すると弁駆動信号Ｋを出力し、弁９は前記弁駆動部８の前記弁駆動信号Ｋを受信するとガス通路を閉栓し、警報報知部１０は前記流量判定部７の前記警報報知信号Ｊを受信すると警報報知するようになっていた。
【０００３】
【発明が解決しようとする課題】
しかしながら、従来のガス遮断装置では、ガス通路の上流側の締切コック３０１と下流側の全ての元コック３０２を閉鎖してガスの漏れがないことを確認したあと、個別のガス器具毎（２０１〜２０３）にガス器具の点火を補助するパイロットバーナーの流量を測定させていた。またこのような微小流量の登録手順のため、下流側の全ての元コック３０２から個別のガス器具（２０１〜２０３）間の配管漏れとガス器具内での漏れを含んだ微小流量をパイロットバーナーの流量として登録する事を許さねばならなかった。このため下流側の全ての元コック３０２から個別のガス器具（２０１〜２０３）間の配管漏れやガス器具内での漏れとパイロットバーナーの流量とを区別することができず不安全な状態でガスが使用されるという課題を有していた。
【０００４】
【課題を解決するための手段】
上記課題を解決するために、本発明は、個別のガス器具（２０１〜２０３）の近傍に個別に器具個別弁を設置したものである。本発明によれば、元コック３０２から個別のガス器具間の配管漏れを確認することが可能になるために、従来の登録方式ではパイロットバーナーの流量として内包されていた配管漏れを排除することができ、安全性をさらに向上させることができる。
【０００５】
【発明の実施の形態】
本発明の請求項１に係る発明は、ガス器具の流量登録を開始する起動タイミングを検知すると検査開始信号を出力する検査開始入力部と、検査開始信号を受信すると登録中信号の有無を確認し、登録中でなければ器具個別弁を制御する切換指示信号と流量の登録を許可する登録許可信号とを出力する切換操作部と、切換指示信号を受信すると器具個別弁を順番に開閉させる切換信号を出力する弁切換部と、ガス通路内を通過するガス流量に対応して流量信号を出力する流量入力部と、流量信号を受信すると流量値を算出し流量値信号を出力する流量算出部と、登録許可信号を受信すると登録中の信号を出力し流量値信号を受信し流量値が所定の範囲内に入る場合には登録中信号の出力を停止して流量値を保持流量値信号として複数保持する流量保持部と、流量値信号と保持流量値信号とを比較し所定の範囲外であれば弁駆動許可信号と警報報知信号とを出力する流量判定部と、弁駆動許可信号を受信すると弁駆動信号を出力する弁駆動部と、弁駆動信号を受信するとガス通路を閉栓する弁と、警報報知信号を受信すると警報報知する警報報知部とを有するものである。
【０００６】
また、請求項２に係る発明は、ガス器具の流量登録を開始する起動タイミングを検知すると検査開始信号を出力する検査開始入力部と、検査開始信号を受信すると弁残信号の有無を確認し、未検査のガス器具が残っていれば登録中の信号の有無を確認し、登録中でなければ器具個別弁を制御する切換指示信号と流量の登録を許可する登録許可信号とを出力する自動切換操作部と、検査対象ガス器具の個数を器具個別弁により検知し検査を必要とするガス器具があれば弁残信号を出力し、切換指示信号を受信すると器具個別弁を順番に開閉させる切換信号を出力する弁切換検知部と、ガス通路内を通過するガス流量に対応して流量信号を出力する流量入力部と、流量信号を受信すると流量値を算出し流量値信号を出力する流量算出部と、登録許可信号を受信すると登録中の信号を出力し、流量値信号を受信し流量値が所定の範囲内に入る場合には登録中の信号の出力を停止して流量値を保持流量値信号として複数保持する流量保持部と、流量値信号と保持流量値信号とを比較し、所定の範囲外であれば弁駆動許可信号と警報報知信号を出力する流量判定部と、弁駆動許可信号を受信すると弁駆動信号を出力する弁駆動部と、弁駆動信号を受信するとガス通路を閉栓する弁と、警報報知信号を受信すると警報報知する警報報知部とを有するものである。
【０００７】
また請求項３に係る発明は、ガス器具の流量登録を開始する起動タイミングを検知すると検査開始信号を出力する検査開始入力部と、検査開始信号を受信すると登録中の信号の有無を確認し、登録中でなければ漏れ有入力部の閉栓指示信号の有無を確認し、閉栓が指示されている器具個別弁を閉栓固定として器具個別弁を制御する切換指示信号と流量の登録を許可する登録許可信号とを出力する切換操作部と、切換指示信号を受信すると器具個別弁を順番に開閉させる切換信号を出力する弁切換部と、ガス通路内を通過するガス流量に対応して流量信号を出力する流量入力部と、流量信号を受信すると流量値を算出し流量値信号を出力する流量算出部と、登録許可信号を受信すると登録中信号を出力し流量値信号を受信し流量値が所定の範囲内に入る場合には登録中の信号の出力を停止して流量値を保持流量値信号として複数保持する流量保持部と、登録中の信号の有無を判定し、登録中の信号があれば流量値信号と保持流量値信号とを比較し所定の範囲外であれば警報報知信号を出力し閉栓指示信号の有無を判定し閉栓指示信号があれば警報報知信号の出力を停止し登録中の信号がなければ流量値信号と保持流量値信号とを比較し所定の範囲外であれば弁駆動許可信号と警報報知信号を出力する漏れ流量判定部と、弁駆動許可信号を受信すると弁駆動信号を出力する弁駆動部と、弁駆動信号を受信するとガス通路を閉栓する弁と、警報報知信号を受信すると警報報知する警報報知部と、漏れを確認したとき閉栓指示信号を出力する漏れ有入力部とを有するものである。
【０００８】
また請求項４記載に係る発明は、ガス器具の流量登録を開始する起動タイミングを検知すると検査開始信号を出力する検査開始入力部と、検査開始信号を受信すると登録中の信号の有無を確認し、登録中でなければ閉栓指示信号の有無を確認し、閉栓が指示されている器具個別弁を閉栓固定として器具個別弁を制御する切換指示信号と流量の登録を許可する登録許可信号とを出力する切換操作部と、切換指示信号を受信すると器具個別弁を順番に開閉させる切換信号を出力する弁切換部と、ガス通路内を通過するガス流量に対応して流量信号を出力する流量入力部と、流量信号を受信すると流量値を算出し流量値信号を出力する流量算出部と、登録許可信号を受信すると登録中の信号を出力し流量値信号を受信し流量値が所定の範囲内に入る場合には登録中の信号の出力を停止して流量値を保持流量値信号として複数保持する流量保持部と、流量値信号と保持流量値信号とを比較し所定の範囲外であれば弁駆動許可信号と警報報知信号を出力する流量判定部と、前記流量判定部の前記弁駆動許可信号を受信すると弁駆動信号を出力する弁駆動部と、弁駆動信号を受信するとガス通路を閉栓する弁と、警報報知信号を受信すると警報報知する警報報知部と、保持流量値信号を受信すると外部との器具情報の通信を行い器具情報から漏れ範囲信号を出力する外部通信部と、漏れ範囲信号を受信すると保持流量値信号を取得し保持流量値信号が前記漏れ範囲信号内に入らない場合に閉栓指示信号と警報報知信号を出力する前記許容差判定部とを有するものである。
【０００９】
そしてまた、請求項５に係る発明は、ガス器具の流量登録を開始する起動タイミングを検知すると検査開始信号を出力する検査開始入力部と、検査開始信号を受信すると弁残信号の有無を確認し未検査のガス器具が残っていれば登録中信号の有無を確認し登録中でなければ器具個別弁を制御する切換指示信号と流量の登録を許可する登録許可信号とを出力する自動切換操作部と、検査対象ガス器具の個数を器具個別弁を内蔵した無線器具により検知し、検査を必要とするガス器具があれば弁残信号を出力し切換指示信号を受信すると器具個別弁を順番に開閉させる切換通信信号を出力する弁切換通信部と、ガス通路内を通過するガス流量に対応して流量信号を出力する流量入力部と、流量信号を受信すると流量値を算出し流量値信号を出力する流量算出部と、登録許可信号を受信すると登録中の信号を出力し流量値信号を受信し流量値が所定の範囲内に入る場合には登録中の信号の出力を停止して流量値を保持流量値信号として複数保持する流量保持部と、流量値信号と流量保持部の保持流量値信号とを比較し、所定の範囲外であれば弁駆動許可信号と警報報知信号を出力する流量判定部と、弁駆動許可信号を受信すると弁駆動信号を出力する弁駆動部と、弁駆動信号を受信するとガス通路を閉栓する弁と、警報報知信号を受信すると警報報知する警報報知部とを有するものである。
【００１０】
【実施例】
以下、本発明の実施例について図面を用いて説明する。
【００１１】
（実施例１）
図１は本発明の実施例１のガス遮断装置の機能ブロック図である。また図２は実施例１のプログラムフロー図である。図１において、検査開始入力部１はガス器具の流量登録を開始する起動タイミング（例えば、プッシュスイッチや磁力を検知するリードスイッチでも良いし有線や無線による信号や通信電文で指示しても同等の効果がえられる）を検知すると検査開始信号Ａを出力する。
【００１２】
切換操作部２は検査開始入力部１の検査開始信号Ａを受信すると流量保持部６からの登録中信号Ｈの有無を確認し、登録中でなければ器具個別弁１０１〜１０３を制御する切換指示信号Ｂ（単独の器具個別弁に対して開閉を指示しても良いし、任意の複数個または全ての器具個別弁に対して開閉を同時に指示しても良い）と流量の登録を許可する登録許可信号Ｄを出力する。
【００１３】
弁切換部３は切換操作部２の切換指示信号Ｂを受信すると切換指示信号Ｂの指示に従い器具個別弁１０１〜１０３（ガス器具に内蔵されている元栓を直接操作しても良い）を順番（あるいは同時）に開閉させる切換信号Ｃを出力する。
【００１４】
流量入力部４はガス通路内を通過するガス流量に対応して流量信号Ｅを出力する（例えば、ガス通路内を一定のガスが通過すると流量信号Ｅを出力しても良いし、ガス通路内の瞬間流量を測れる流量センサ〈例えば、ガス通路内に障害物を設けその周りに発生させたガス圧力の変動周期により流量を検出したり、ガス通路内に設置した熱電対のガス通過時に奪われる熱から抵抗値として捉えて流量を検出したり、ガス通路の上流側と下流側に対向した音波センサを配置しそれぞれから発された音波の伝播時間差から流量を検出したりしても同等の効果がえられる〉を使用しても同様の効果を得られる）。流量算出部５は流量入力部４の流量信号Ｅを受信すると流量値を算出し流量値信号Ｆを出力する。
【００１５】
流量保持部６は切換操作部２の登録許可信号Ｄを受信すると登録中信号Ｈを出力し流量算出部５の流量値信号Ｆを受信し流量値が所定の範囲内（例えば、１０Ｌ／ｈ〜１００Ｌ／ｈ）に入る場合には登録中信号Ｈの出力を停止して流量値を保持流量値信号Ｇとして複数保持（１つのガス器具だけでも良いし、ガス器具の個数分でも複数ガス器具の組合せ分でも良い）する。
【００１６】
流量判定部７は流量算出部５の流量値信号Ｆと流量保持部６の保持流量値信号Ｇを比較し所定の範囲外（例えば保持流量値信号Ｇの±１０％以上はなれた流量値信号Ｆを検知した場合としても、また保持流量値信号Ｇに±２Ｌ／ｈ等の規定流量値を加えて判断しても同等の効果が得られる）であれば弁駆動許可信号Ｉと警報報知信号Ｊを出力する。
【００１７】
弁駆動部８は流量判定部７の弁駆動許可信号Ｉを受信すると弁駆動信号Ｋを出力する。弁９は弁駆動部８の弁駆動信号Ｋを受信するとガス通路を閉栓する。警報報知部１０は流量判定部７の警報報知信号Ｊを受信すると警報報知（例えばＬＥＤやＬＣＤ等を使用して表示したり、ブザーやスピーカーにより音や音声で通知しても良いし有線や無線で外部に報知しても同等の効果が得られる）する。
【００１８】
以上の様に構成されたガス遮断装置について、以下にその動作、作用について説明する。図２において上記実施例のプログラムフローを処理Ｓ１から処理Ｓ１４に示す。今、処理開始から処理終了までのフローはそれぞれインターバルカレンダ等により周期的に処理されるものとする。
【００１９】
ガス遮断装置の切換操作部２において処理Ｓ１は登録動作中かどうかを判断して登録動作中であれば処理Ｓ５に移行し、登録動作中でなければ処理Ｓ２へ移行する。
【００２０】
検査開始入力部１において処理Ｓ２は検査を開始する指示（例えば、プッシュスイッチや磁力を検知するリードスイッチでも良いし有線や無線による信号や通信電文で指示しても同等の効果がえられる）があるかを判断して検査開始の指示があれば処理Ｓ３へ移行し、検査開始の指示がなければ処理Ｓ５へ移行する。
【００２１】
流量保持部６において処理Ｓ３は登録中として処理Ｓ４へ移行する。弁切換部３において処理Ｓ４は器具個別弁を開閉（単独の器具個別弁に対して開閉を指示しても良いし、任意の複数個または全ての器具個別弁に対して開閉を同時に指示しても良い）させて処理Ｓ５へ移行する。
【００２２】
流量入力部４において処理Ｓ５はガス通路内を通過するガス流量に対応した流量信号（例えば、ガス通路内を一定のガスが通過すると流量信号Ｅを出力しても良いし、ガス通路内の瞬間流量を測れる流量センサを使用しても同様の効果を得られる）を出力し、流量信号があれば処理Ｓ６へ移行し、流量信号がなければ処理を終了する。
【００２３】
流量判定部５において処理Ｓ６は流量信号に基づく流量値を算出して処理Ｓ７へ移行する。流量保持部６において処理Ｓ７は登録動作中かどうかを判断して登録動作中であれば処理Ｓ８に移行し、登録動作中でなければ処理Ｓ１１へ移行する。処理Ｓ８は流量値が所定の範囲内（例えば、１０Ｌ／ｈ〜１００Ｌ／ｈ）に入るかどうかを判定し範囲内であれば処理Ｓ９へ移行し、範囲内でなければ処理Ｓ１１へ移行する。
【００２４】
処理Ｓ９は流量値を保持流量値として複数保持（１つのガス器具だけでも良いし、ガス器具の個数分でも複数ガス器具の組合せ分でも良い）して処理Ｓ１０へ移行する。処理Ｓ１０は登録動作を終了して処理Ｓ１１へ移行する。
流量判定部７において処理Ｓ１１は流量値と保持流量値を比較して所定の範囲内（例えば保持流量値信号Ｇの±１０％以上はなれた流量値信号Ｆを検知した場合としても、また保持流量値信号Ｇに±２Ｌ／ｈ等の規定流量値を加えて判断しても同等の効果が得られる）に入るかどうかを判定し範囲内に入れば処理を終了し、範囲内に入らなければ処理Ｓ１２へ移行する。
【００２５】
弁駆動部８において処理Ｓ１２は弁駆動信号を出力して処理Ｓ１３へ移行する。弁９において処理Ｓ１３はガス通路を閉栓して処理Ｓ１４へ移行する。警報報知部１０において処理Ｓ１４は警報報知（例えばＬＥＤやＬＣＤ等を使用して表示したり、ブザーやスピーカーにより音や音声で通知しても良いし有線や無線で外部に報知しても同等の効果が得られる）して処理を終了する。
【００２６】
以上の様に、本実施例におけるガス遮断装置は器具個別弁を全てのガス器具のガス取り入れ口にセットし全ての器具個別弁を閉栓状態にすることで元コックから個別のガス器具間の配管漏れを確認することが可能になるために、従来の登録方式ではパイロットバーナーの流量として内包されていた配管漏れを排除することができるためガス漏れによるガス中毒等の可能性をさらに減らすことが可能となり安全性をより一層向上させる事ができる。
【００２７】
また全てのガス器具のパイロットバーナーの流量を登録したあとは、ガス器具毎のパイロットバーナーの流量は器具個別弁の有無に左右されないため、ガス器具に取りつけられている器具個別弁を取り外しガス器具と元コック間を単純に直結することができる。この事により必要なときにのみ器具個別弁を取り付ければ良く、常時取り付けておく必要がないために器具個別弁を別のガス遮断装置で使いまわしすることが可能となったり、器具個別弁の誤閉栓によるガス器具の失火がなくすことができる。
【００２８】
（実施例２）
図３は本発明の実施例２のガス遮断装置の機能ブロック図である。また図４は実施例２のプログラムフロー図である。なお実施例１と同一符号のものは同一構造を有し、説明は省略する。実施例１と異なる点は、図３の機能ブロック図において、自動切換操作部１１は検査開始入力部１からの検査開始信号Ａを受信すると弁残信号Ｌの有無を確認し未検査のガス器具が残っていれば登録中信号Ｈの有無を確認し登録中でなければ器具個別弁Ｂを制御する切換指示信号Ｂと流量の登録を許可する登録許可信号Ｄを出力する。
【００２９】
弁切換検知部１２は検査対象ガス器具の個数を器具個別弁１０１〜１０３により検知し検査を必要とするガス器具（一度全ての器具個別弁１０１〜１０３をチェックしてからトータル数分だけ切換指示信号Ｂをカウントしてもよいし、一度全ての器具個別弁１０１〜１０３をチェックしてからその情報をもとに切換指示信号Ｂで開閉させた器具個別弁１０１〜１０３の組み合わせに漏れがないかをチェックしていっても同様の効果が得られる。また器具個別弁１０１〜１０３に検査の必要の有無を指示する切換スイッチ等を設け検査の必要のないガス器具を検査から除外することも有効な効果が得られる）があれば弁残信号Ｌを出力し自動切換操作部１１の切換指示信号Ｂを受信すると器具個別弁１０１〜１０３を順番（単独の器具個別弁に対して開閉を指示しても良いし、任意の複数個または全ての器具個別弁に対して開閉を同時に指示しても良い）に開閉させる切換信号を出力する。
【００３０】
流量保持部６は実施例１では切換操作部１から登録許可信号Ｄを受け取って動作していたが実施例２においては自動切換操作部１１から登録許可信号Ｄを受信するところである。
【００３１】
以上の様に構成されたガス遮断装置について、以下にその動作、作用について説明する。図４において上記実施例のプログラムフローを処理Ｓ１から処理Ｓ１７に示す。今、処理開始から処理終了までのフローはそれぞれインターバルカレンダ等により周期的に処理されるものとする。なお実施例１と同一符号のものは同一構造を有し、説明は省略する。
【００３２】
ただし、処理Ｓ１０は処理終了後に処理Ｓ１５へ移行するものとする。また実施例１では切換操作部２において処理Ｓ１を処理していたが実施例２においては自動切換操作部１１が処理Ｓ１を処理し、同様に実施例１では弁切換部３において処理Ｓ４を処理していたが実施例２においては弁切換検知部１２が処理Ｓ４を処理するものとする。
【００３３】
自動切換操作部１１において処理Ｓ１５は弁切換検知部１２からの弁残信号の有無を判定し、弁残信号があれば処理Ｓ１６へ移行し、弁残信号がなければ処理Ｓ１１へ移行する。
【００３４】
流量保持部６において処理Ｓ１６は登録中として処理Ｓ１７へ移行する。弁切換検知部１２において処理Ｓ１７は器具個別弁を開閉（単独の器具個別弁に対して開閉を指示しても良いし、任意の複数個または全ての器具個別弁に対して開閉を同時に指示しても良い）させて処理Ｓ１１へ移行する。
【００３５】
以上の様に、本実施例においては一度検査を開始すれば自動的に検査をする必要のあるものを抽出し、自動的に切り換わることで作業の効率化が向上したり、検査漏れを防止することができる。
【００３６】
（実施例３）
図５は本発明の実施例３のガス遮断装置の機能ブロック図である。また図６は実施例３のプログラムフロー図である。なお実施例１と同一符号のものは同一構造を有し、説明は省略する。実施例１と異なる点は、図５の機能ブロック図において、切換操作部２は検査開始入力部１の検査開始信号Ａを受信すると流量保持部６からの登録中信号Ｈの有無を確認し、登録中でなければ漏れ有入力部１３の閉栓指示信号Ｍの有無を確認し閉栓が指示されている器具個別弁を閉栓固定（例えば器具個別弁１０２を検査対象としている場合は器具個別弁１０２を閉栓固定として以降検査中は器具個別弁１０２を開栓しない。また器具個別弁を任意に指定しても同様の効果が得られる）として器具個別弁１０１〜１０３を制御する切換指示信号Ｂ（単独の器具個別弁に対して開閉を指示しても良いし、任意の複数個または全ての器具個別弁に対して開閉を同時に指示しても良い）と流量の登録を許可する登録許可信号Ｄと出力する。
【００３７】
漏れ流量判定部１４は実施例１の流量判定部７の機能を包含したもので、流量保持部６の登録中信号Ｈの有無を判定し登録中信号Ｈがあれば流量算出部５の流量値信号Ｆと流量保持部６の保持流量値信号Ｇを比較し所定の範囲外（例えば、１０Ｌ／ｈ〜１００Ｌ／ｈ）であれば警報報知信号Ｊを出力し漏れ有入力部１３の閉栓指示信号Ｍの有無を判定し閉栓指示信号Ｍがあれば警報報知信号Ｊの出力を停止し登録中信号Ｈがなければ流量算出部５の流量値信号Ｆと流量保持部６の保持流量値信号Ｇを比較し所定の範囲外（例えば、１０Ｌ／ｈ〜１００Ｌ／ｈ）であれば弁駆動許可信号Ｉと警報報知信号Ｊを出力する。
【００３８】
漏れ有入力部１３は漏れを確認（例えば、人が警報報知を確認しプッシュスイッチや磁力を検知するリードスイッチでも良いし有線や無線による信号や通信電文で指示してもよいし、警報報知を自動的に取り込んだりさせても同等の効果がえられる）したとき閉栓指示信号Ｍを出力する。
【００３９】
弁駆動部８は実施例１では流量判定部７から弁駆動許可信号Ｉを受け取って動作していたが実施例３においては漏れ流量判定部１４から弁駆動許可信号Ｉを受信するところ、警報報知部１０は実施例１では流量判定部７から警報報知信号Ｊを受け取って動作していたが実施例２においては漏れ流量判定部１４から警報報知信号Ｊ受信するところである。
【００４０】
以上の様に構成されたガス遮断装置について、以下にその動作、作用について説明する。図６において上記実施例のプログラムフローを処理Ｓ１から処理Ｓ２３に示す。今、処理開始から処理終了までのフローはそれぞれインターバルカレンダ等により周期的に処理されるものとする。なお実施例１と同一符号のものは同一構造を有し、説明は省略する。ただし処理Ｓ１５からＳ１７は欠番とする。
【００４１】
なお処理Ｓ８は流量値が所定の範囲内（例えば、１０Ｌ／ｈ〜１００Ｌ／ｈ）でなければ処理Ｓ１８へ移行し、処理Ｓ１１は流量値と保持流量値を比較して所定の範囲内（例えば保持流量値信号Ｇの±１０％以上はなれた流量値信号Ｆを検知した場合としても、また保持流量値信号Ｇに±２Ｌ／ｈ等の規定流量値を加えて判断しても同等の効果が得られる）でなければ処理Ｓ２２へ移行し、処理Ｓ１４は処理終了後に処理２３に移行する。
【００４２】
また実施例１では流量判定部７において処理Ｓ１１を処理していたが実施例２においては漏れ流量判定部１４が処理Ｓ１１を処理するものとする。
【００４３】
警報報知部１０において処理１８は警報報知（例えばＬＥＤやＬＣＤ等を使用して表示したり、ブザーやスピーカーにより音や音声で通知しても良いし有線や無線で外部に報知しても同等の効果が得られる）して処理Ｓ１９へ移行する。
【００４４】
漏れ有入力部１３において処理Ｓ１９は漏れを確認（例えば、人が警報報知を確認しプッシュスイッチや磁力を検知するリードスイッチでも良いし有線や無線による信号や通信電文で指示してもよいし、警報報知を自動的に取り込んだりさせても同等の効果がえられる）し漏れが確認できれば処理Ｓ２０へ移行し、漏れが確認できなければ処理Ｓ２３へ移行する。
【００４５】
漏れ流量判定部１４において処理Ｓ２０は警報報知の出力を停止して処理Ｓ２１へ移行する。漏れ有入力部１３において処理Ｓ２１は器具個別弁を閉栓固定に指示（例えば器具個別弁１０２を検査対象としている場合は器具個別弁１０２を閉栓固定として以降検査中は器具個別弁１０２を開栓しない。また器具個別弁を任意に指定しても同様の効果が得られる）して処理Ｓ２３へ移行する。
【００４６】
漏れ流量判定部１４において処理Ｓ２２は警報報知の出力を停止して処理Ｓ２３へ移行する。切換操作部２において処理Ｓ２３は閉栓が指示されている器具個別弁を閉栓固定として器具個別弁（例えば器具個別弁１０２を検査対象としている場合は器具個別弁１０２を閉栓固定として以降検査中は器具個別弁１０２を開栓しない。また器具個別弁を任意に指定しても同様の効果が得られる）して器具個別弁１０１〜１０３の開閉（単独の器具個別弁に対して開閉を指示しても良いし、任意の複数個または全ての器具個別弁に対して開閉を同時に指示しても良い）指示して処理を終了する。
【００４７】
以上の様に、本実施例においては検査を開始しているにも係わらず流量値が所定の範囲外であった場合は、ガス器具内にパイロットバーナーで消費される以外のガス漏れ（パイロットバーナーが点火されていないのに流量が検出された場合にはガス器具内に漏れがあったこととなり、パイロットバーナーが点火されているときに所定の範囲外となればパイロットバーナーとガス漏れが合算されたこととなる）があったと判定することができる。
【００４８】
また流量値が所定の範囲内であっても検査員がガス漏れ等を発見した場合に手動で器具の閉栓固定を指示することができ利便性と安全性の両立を図ることができる。さらに漏れが検出されたガス器具に取りつけられている器具個別弁のみを閉栓状態で検査後も取り付けておけば、新しいガス器具に交換するまでの間、誤ってガス漏れのある器具を使用することを防止することで安全性の向上を図るができる。
【００４９】
（実施例４）
図７は本発明の実施例４のガス遮断装置の機能ブロック図である。また図８は実施例４のプログラムフロー図である。なお実施例１と同一符号のものは同一構造を有し、説明は省略する。
【００５０】
実施例１と異なる点は、図７の機能ブロック図において、切換操作部２は検査開始入力部１の検査開始信号Ａを受信すると流量保持部６からの登録中信号Ｈの有無を確認し、登録中でなければ許容差判定部１６の閉栓指示信号Ｍの有無を確認し閉栓が指示されている器具個別弁を閉栓固定（例えば器具個別弁１０２を検査対象としている場合は器具個別弁１０２を閉栓固定として以降検査中は器具個別弁１０２を開栓しない。また器具個別弁を任意に指定しても同様の効果が得られる）として器具個別弁１０１〜１０３を制御する切換指示信号Ｂ（単独の器具個別弁に対して開閉を指示しても良いし、任意の複数個または全ての器具個別弁に対して開閉を同時に指示しても良い）と流量の登録を許可する登録許可信号Ｄと出力する。
【００５１】
外部通信部１５は流量保持部６の保持流量値信号Ｇを受信すると外部（例えば検査中のガス器具に関する情報を設定器４０１を介してインターネット等の情報網で検索したり、公共の電話回線を使用して専用のガス器具に関する情報センタに接続しても同等の効果が得られる。もちろん設定器に代表的なガス器具に関する情報を予め保持しておいてもよい）との器具情報の通信を行い器具情報から漏れ範囲信号Ｏ（例えば、ガス器具固有の許容されているガス漏れ量や経年変化に伴うガス漏れ量の許容量に関する情報）を出力する。
【００５２】
許容判定部１６は外部通信部１５の漏れ範囲信号Ｏを受信すると流量保持部６の保持流量値信号Ｇを取得し保持流量値信号Ｇが漏れ範囲信号Ｏ内に入らない場合に閉栓指示信号Ｍと警報報知信号Ｊを出力するところである。
【００５３】
以上の様に構成されたガス遮断装置について、以下にその動作、作用について説明する。図８において上記実施例のプログラムフローを処理Ｓ１から処理Ｓ２６に示す。今、処理開始から処理終了までのフローはそれぞれインターバルカレンダ等により周期的に処理されるものとする。なお実施例１と同一符号のものは同一構造を有し、説明は省略する。ただし処理Ｓ１５からＳ２３は欠番とする。なお処理Ｓ１０は処理終了後に処理Ｓ２４へ移行するものとする。
【００５４】
外部通信部１５において処理Ｓ２４は外部（例えば検査中のガス器具に関する情報を設定器４０１を介してインターネット等の情報網で検索したり、公共の電話回線を使用して専用のガス器具に関する情報センタに接続しても同等の効果が得られる。もちろん設定器に代表的なガス器具に関する情報を予め保持しておいてもよい）との器具情報の通信を行い処理Ｓ２５へ移行する。処理Ｓ２５は器具情報から漏れ範囲信号（例えば、ガス器具固有の許容されているガス漏れ量や経年変化に伴うガス漏れ量の許容量に関する情報）を抽出して処理Ｓ２６へ移行する。
【００５５】
許容差判定部１６において処理Ｓ２６は保持流量値が許容された漏れ範囲内に入れば処理Ｓ１１へ移行し、漏れ範囲内に入らなければ処理Ｓ１４へ移行する。
【００５６】
以上の様に、本実施例においてはガス器具固有のガス漏れ許容範囲等に関してインターネット等を活用して正確に取得してくることにより、実際にガス漏れを検出したときの対処を作業者の経験則だけではなく一律の判断基準で行えるようになることで、ガス業界統一の規格や対処方法により一層合わせ易くなり利便性を向上させることができる。
【００５７】
また器具の経年変化等の情報収集を集め易くなるばかりか、情報をフィードバックすることでガス器具の傷み具合をも判断でき、設置器に交換部品を発注する機能を加えればインターネット等によりガス器具メーカに対して直接発注できたり在庫情報を入手すればガスを使用しているユーザに正確な修理の日程を通達できる。
【００５８】
（実施例５）
図９は本発明の実施例５のガス遮断装置の機能ブロック図である。また図１０は実施例５のプログラムフロー図である。なお実施例１および実施例２と同一符号のものは同一構造を有し、説明は省略する。
【００５９】
実施例２と異なる点は、図９の機能ブロック図において、自動切換操作部１１は実施例２では弁切換検知部１２からの弁残信号Ｌを取得していたが、実施例５では弁切換通信部１７から弁残信号Ｌを取得することである。
【００６０】
弁切換通信部１７は検査対象ガス器具の個数を外部に取り付けた無線機５０１を介して器具個別弁を内蔵した無線器具６０１〜６０３により検知し検査を必要とするガス器具があれば弁残信号Ｌを出力し自動切換操作部１１の切換指示信号Ｂを受信すると器具個別弁を順番に開閉させる切換通信信号を出力するところである。
【００６１】
以上の様に構成されたガス遮断装置について、以下にその動作、作用について説明する。図１０において上記実施例のプログラムフローを処理Ｓ１から処理Ｓ２７に示す。今、処理開始から処理終了までのフローはそれぞれインターバルカレンダ等により周期的に処理されるものとする。なお実施例１と同一符号のものは同一構造を有し、説明は省略する。ただし処理４および処理Ｓ１８からＳ２６は欠番とする。なお処理Ｓ３は処理終了後に処理Ｓ２７へ移行するものとする。
【００６２】
弁切換通信部１７において処理Ｓ２７は検査対象ガス器具の個数を外部に取り付けた無線機５０１を介して器具個別弁を内蔵した無線器具６０１〜６０３により検知し処理Ｓ５へ移行する。
【００６３】
以上の様に、本実施例においてはガス器具の検査時に有線ではなく無線にすることにより検査のための不必要な工事をなくすことで検査に要する時間の短縮を図ったり操作性の向上を図ることができる。
【００６４】
【発明の効果】
以上の説明から明らかのように本発明のガス遮断装置によれば次の効果が得られる。
【００６５】
請求項１に係る発明によれば、器具個別弁を全てのガス器具のガス取り入れ口にセットし全ての器具個別弁を閉栓状態にすることで元コックから個別のガス器具間の配管漏れを確認することが可能になるために、従来の登録方式ではパイロットバーナーの流量として内包されていた配管漏れを排除することができるためガス漏れによるガス中毒等の可能性をさらに減らすことが可能となり安全性をより一層向上させる事ができる。また、全てのガス器具のパイロットバーナーの流量を登録した後は、ガス器具毎のパイロットバーナーの流量は器具個別弁の有無に左右されないため、ガス器具に取りつけられている器具個別弁を取り外しガス器具と元コック間を単純に直結することができる。この事により必要なときにのみ器具個別弁を取り付ければ良く、常時取り付けておく必要がないために器具個別弁を別のガス遮断装置で使いまわしすることが可能となったり、器具個別弁の誤閉栓によるガス器具の失火がなくすことができる。
【００６６】
また、請求項２に係る本発明によれば、一度検査を開始すれば自動的に検査をする必要のあるものを抽出し、自動的に切り換わることで作業の効率化が向上したり、検査漏れを防止することができる。
【００６７】
また、請求項３に係る本発明によれば検査を開始しているにも係わらず流量値が所定の範囲外であった場合は、ガス器具内にパイロットバーナーで消費される以外のガス漏れ（パイロットバーナーが点火されていないのに流量が検出された場合にはガス器具内に漏れがあったこととなり、パイロットバーナーが点火されているときに所定の範囲外となればパイロットバーナーとガス漏れが合算されたこととなる）があったと判定することができる。また流量値が所定の範囲内であっても検査員がガス漏れ等を発見した場合に手動で器具の閉栓固定を指示することができ利便性と安全性の両立を図ることができる。さらに漏れが検出されたガス器具に取りつけられている器具個別弁のみを閉栓状態で検査後も取り付けておけば、新しいガス器具に交換するまでの間、誤ってガス漏れのある器具を使用することを防止することで安全性の向上を図るができるという有利な効果を有する。
【００６８】
また、請求項４に係る本発明によれば、ガス器具固有のガス漏れ許容範囲等に関してインターネット等を活用して正確に取得してくることにより、実際にガス漏れを検出したときの対処を作業者の経験則だけではなく一律の判断基準で行えるようになることで、ガス業界統一の規格や対処方法により一層合わせ易くなり利便性を向上させることができる。
【００６９】
また器具の経年変化等の情報収集を集め易くなるばかりか、情報をフィードバックすることでガス器具の傷み具合をも判断でき、設置器に交換部品を発注する機能を加えればインターネット等によりガス器具メーカに対して直接発注できたり在庫情報を入手すればガスを使用しているユーザに正確な修理の日程を通達できるという有利な効果を有する。
【００７０】
さらに、請求項５に係る本発明によれば無線にすることにより検査のための不必要な工事をなくすことで検査に要する時間の短縮を図ったり操作性の向上を図ることができる。
【００７１】
そして従来の課題であった元コック以降のガス漏れを検知することが可能となり、ガス漏れに伴うガス中毒等をより一層防止することができるばかりか、経年変化等の情報を収集分析することで保存流量値を経年変化を考慮して毎年変化させることでさらに一層パイロットバーナーのガス使用量（許容ガス漏れ量を考慮したりパイロットバーナーのノズルの劣化等）とガス漏れとの区別ができるようになるという新たな技術を獲得することが可能となる。
【図面の簡単な説明】
【図１】本発明の実施例１のガス遮断装置の機能ブロック図
【図２】同装置のプログラムフローチャート
【図３】本発明の実施例２のガス遮断装置の機能ブロック図
【図４】同装置のプログラムフローチャート
【図５】本発明の実施例３のガス遮断装置の機能ブロック図
【図６】同装置のプログラムフローチャート
【図７】本発明の実施例４のガス遮断装置の機能ブロック図
【図８】同装置のプログラムフローチャート
【図９】本発明の実施例５のガス遮断装置の機能ブロック図
【図１０】同装置のプログラムフローチャート
【図１１】従来のガス遮断装置の機能ブロック図
【符号の説明】
１  検査開始入力部
２  切換操作部
３  弁切換部
４  流量入力部
５  流量算出部
６  流量保持部
７  流量判定部
８  弁駆動部
９  弁
１０  警報報知部
１１  自動切換操作部
１２  弁切換検知部
１３  漏れ有入力部
１４  漏れ流量判定部
１５  外部通信部
１６  許容差判定部
１７  弁切換通信部
【図１】
0004123759.tif 000002
【図２】
0004123759.tif 000003
【図３】
0004123759.tif 000004
【図４】
0004123759.tif 000005
【図５】
0004123759.tif 000006
【図６】
0004123759.tif 000007
【図７】
0004123759.tif 000008
【図８】
0004123759.tif 000009
【図９】
0004123759.tif 000010
【図１０】
0004123759.tif 000011
【図１１】
0004123759.tif 000012